(57)【要約】【課題】特に生産現場での対象物位置管理システムにおいて、安価でかつ簡単な管理システムで対象物の位置を検知することができるようなシステムを開発すること。【解決手段】対象物位置管理システムにおいて、各検知エリア内Ａ〜Ｃには隣り合う複数のアンテナ９０，１１０が互いに干渉する位置に設置され、サーバ１０は、ＤＢ２０内にある第２のテーブル５００に一定期間の履歴を保存しておき、位置検索クライアント５０から送られてきた識別データに対し、検知された最新のエリアを現在エリア位置と判定するエリア判定手段と、エリア判定手段により判定された現在エリア位置内で履歴の検出個数を遡って最も多いアンテナ位置を現在アンテナ位置と判定するアンテナ判定手段と、から成る位置判定手段によって現在エリア位置と現在アンテナ位置を判定するように構成することを特徴とする。【選択図】図１
2010096734.tif 000002
【特許請求の範囲】
【請求項１】
管理システムは、サーバ、データベース、複数のリーダライタ、複数のアンテナを備え、これらはネットワークにより接続されており、サーバによりシステム全体の制御・管理が行われるものであって、
サーバには書き込みクライアントと、読取り制御クライアント、位置検索クライアントが設けられ、
上記システムでは書き込みエリアと複数の検知エリアとが設定されており、各エリアに対応して上記リーダライタおよび上記アンテナが設けられており、
対象物を特定する製造番号等の識別データが書き込みクライアントから書き込みエリアのリーダライタに送られ、当該リーダライタによりＩＣタグに上記識別データが記録され、
上記書き込みと並行してサーバ側では、上記ＩＣタグを識別するタグＩＤと上記識別データとを対応づけてデータベース内の第１のテーブルに記憶し、
上記各検知エリアに持ち込まれるパレットに上記ＩＣタグと上記対象物とがセットで収納され、
読取り制御クライアントからの制御により上記各検知エリアのリーダライタはアンテナを設定間隔でオンにし、各アンテナの検知領域に存在するＩＣタグに記録されているタグＩＤと識別データを読取ってサーバに送信し、
サーバは、各リーダライタから送られてきたタグＩＤと識別データをその情報の送信元のリーダライタに対応する検知エリアとを対応づけてデータベース内の第２のテーブルに記憶し、
位置検索クライアントから検索対象を特定する識別データが入力され、識別データがサーバに送られ、
サーバは、データベース内の第２のテーブルを参照して、識別データに対応するエリア、アンテナを抽出し、抽出したエリア、アンテナを位置検索クライアントのディスプレイに表示する対象物位置管理システムにおいて、
各検知エリア内には隣り合う複数のアンテナが互いに干渉する位置に設置され、
サーバは、上記第２のテーブルの一定期間の履歴をデータベース内に保存しておき、
位置検索クライアントから送られてきた識別データに対し、検知された最新のエリアを現在エリア位置と判定するエリア判定手段と、エリア判定手段により判定された現在エリア位置内で履歴の検出個数を遡って最も多いアンテナ位置を現在アンテナ位置と判定するアンテナ判定手段と、から成る位置判定手段によって現在エリア位置と現在アンテナ位置を判定し、
これら判定された現在エリア位置と現在アンテナ位置を位置検索クライアントのディスプレイに表示するように構成したことを特徴とするＵＨＦ帯ＲＦＩＤを活用した対象物位置管理システム。
【請求項２】
現在エリア位置内で履歴の検出個数を遡って最も多いアンテナ位置を現在アンテナ位置と判定する際に、アンテナ位置が同数となった場合は、それを解消するための解消手段を持っていることを特徴とするＵＨＦ帯ＲＦＩＤを活用した対象物位置管理システム。
【請求項３】
請求項１に記載の設定間隔は変更可能であることを特徴とするＵＨＦ帯ＲＦＩＤを活用した対象物位置管理システム。
【請求項４】
請求項１に記載の履歴の検出個数は変更可能であることを特徴とするＵＨＦ帯ＲＦＩＤを活用した対象物位置管理システム。
【発明の詳細な説明】
【技術分野】
【０００１】  本発明はＵＨＦ帯ＲＦＩＤを活用した対象物位置管理システムであって、特に生産現場での対象物位置管理システムに関するものである。
【背景技術】
【０００２】  生産現場において、対象物の位置管理するために最近ではＵＨＦ帯ＲＦＩＤを活用した対象物位置管理システムが採用されている。
そこで採用されている一般的な管理システムは、サーバ、データベース、複数のリーダライタ、複数のアンテナを備え、これらはネットワークにより接続されており、サーバによりシステム全体の制御・管理が行われるものであって、サーバには書き込みクライアントと、読取り制御クライアント、位置検索クライアントが設けられ、上記システムでは書き込みエリアと複数の検知エリアとが設定されており、各エリアに対応して上記リーダライタおよび上記アンテナが設けられており、対象物の識別情報（製造Ｎｏ．）のデータが書き込みクライアントから書き込みエリアのリーダライタに送られ、当該リーダライタによりＩＣタグに上記識別情報（製造Ｎｏ．）のデータが書き込まれ、上記書き込みと並行してサーバ側では、上記ＩＣタグの識別情報（タグＩＤ）と上記で書き込んだ対象物の識別情報（製造Ｎｏ．）とを対応づけてデータベース内の第１のテーブルに記憶し、上記各検知エリアに持ち込まれるパレットに上記ＩＣタグと上記対象物とがセットで収納され、読取り制御クライアントからの制御により上記各検知エリアのリーダライタはアンテナを設定間隔でオンにし、各アンテナの交信領域内に存在するＩＣタグの情報（タグＩＤ，製造Ｎｏ．）を読取ってサーバに送信し、サーバは、各リーダライタから送られてきた情報（タグＩＤ，製造Ｎｏ．）とその情報の送信元のリーダライタに対応する検知エリアとを対応づけてデータベース内の第２のテーブルに記憶し、位置検索クライアントから検索対象の識別情報（製造Ｎｏ．）が入力され、当該識別情報（製造Ｎｏ．）がサーバに送られ、サーバは、データベース内の第２のテーブルを参照して、当該識別情報（製造Ｎｏ．）に対応するエリア、アンテナを抽出し、抽出したエリア、アンテナを位置検索クライアントのディスプレイに表示するように構成されている。【０００３】  このような対象物位置管理システムでは、各検知エリア内においてアンテナ位置は互いに干渉しない形で設置されていることが一般的である。
しかし、干渉しない位置で設置したアンテナだけで対象物の位置を判定すると、生産現場によっては置き場所によって対象物の位置を検知できない死角が発生する場合がある。
またＵＨＦ帯ＲＦＩＤ機器の特性上、電波の強さは同一地点でも刻々と変化しており、位置検知対象物が静止した状態では読めないケースが発生する場合がある。【０００４】  このような問題を解決する対象物位置管理システムとして、特開２００７−８５８２６号公報に記載されている対象物位置管理システムがある。
この対象物位置管理システムは対象物の位置を正確に検知するために、検知エリア内を網羅するように複数のアンテナが干渉するように配置されるとともに、位置タグと呼ばれる位置を表すタグを検知エリア内の位置情報を捉えたい単位に格子状に床に垂直に埋め込んで設置し、対象物の位置を検知する場合は、位置タグと検知対象物に垂直に取り付けられたタグの両方をアンテナで読取り、位置タグと検知対象物のタグの両方のデータから位置を判定している。【０００５】  すなわち、検知エリア内に複数のアンテナ及び位置情報が既知の位置タグを設置し、複数のアンテナからの電波の出力を変動させ、出力の変動分で新たに検知できた位置タグの検知結果及び検知対象物のタグの検知結果を蓄積し、その検知結果の重複検知されている検知対象物のタグ及び位置タグを特定し、位置タグの位置情報を用いて対象物の位置を特定するものである。
【特許文献１】特開２００７−８５８２６号公報
【発明の開示】
【発明が解決しようとする課題】
【０００６】  しかしながら、特開２００７−８５８２６号公報に記載されているシステム構成では高精度に位置判定を実現するものであるが、位置タグと呼ばれるＩＣタグを検知エリアの床上に垂直な状態で複数埋め込んで設置する必要があり、既存の生産現場では新たに床への設置は困難である。また、流通しているタグの大半が指向性を持つために検知対象物に設置するタグも垂直に設置する必要があり、面倒である。【０００７】  また、このシステムの方法では出力を変動させることのできる高度なアンテナが必要であり、高価なものとなる。
実際の生産現場では、特開２００７−８５８２６号公報に記載されているシステムのようなピンポイントで対象物の位置を特定する必要はなく、アンテナ位置が特定できる精度で対象物の位置が判定できれば十分である。
そこでこのような位置タグや高価なアンテナを設置せずに、安価でかつ簡単な管理システムで対象物の位置を検知することができるような対象物位置管理システムが求められていた。
【課題を解決するための手段】
【０００８】  このような課題を解決するために本発明のＵＨＦ帯ＲＦＩＤを活用した対象物位置管理システムは、
管理システムは、サーバ、データベース、複数のリーダライタ、複数のアンテナを備え、これらはネットワークにより接続されており、サーバによりシステム全体の制御・管理が行われるものであって、
サーバには書き込みクライアントと、読取り制御クライアント、位置検索クライアントが設けられ、
上記システムでは書き込みエリアと複数の検知エリアとが設定されており、各エリアに対応して上記リーダライタおよび上記アンテナが設けられており、
対象物を特定する製造番号等の識別データが書き込みクライアントから書き込みエリアのリーダライタに送られ、当該リーダライタによりＩＣタグに上記識別データが記録され、
上記書き込みと並行してサーバ側では、上記ＩＣタグを識別するタグＩＤと上記識別データとを対応づけてデータベース内の第１のテーブルに記憶し、
上記各検知エリアに持ち込まれるパレットに上記ＩＣタグと上記対象物とがセットで収納され、
読取り制御クライアントからの制御により上記各検知エリアのリーダライタはアンテナを設定間隔でオンにし、各アンテナの検知領域に存在するＩＣタグに記録されているタグＩＤと識別データを読取ってサーバに送信し、
サーバは、各リーダライタから送られてきたタグＩＤと識別データをその情報の送信元のリーダライタに対応する検知エリアとを対応づけてデータベース内の第２のテーブルに記憶し、
位置検索クライアントから検索対象を特定する識別データが入力され、識別データがサーバに送られ、
サーバは、データベース内の第２のテーブルを参照して、識別データに対応するエリア、アンテナを抽出し、抽出したエリア、アンテナを位置検索クライアントのディスプレイに表示する対象物位置管理システムにおいて、
各エリア内には隣り合う複数のアンテナが互いに干渉する位置に設置され、
サーバは、上記第２のテーブルの一定期間の履歴をデータベース内に保存しておき、
位置検索クライアントから送られてきた識別データに対し、検知された最新のエリアを現在エリア位置と判定するエリア判定手段と、エリア判定手段により判定された現在エリア位置内で履歴の検出個数を遡って最も多いアンテナ位置を現在アンテナ位置と判定するアンテナ判定手段と、から成る位置判定手段によって現在エリア位置と現在アンテナ位置を判定し、
これら判定された現在エリア位置と現在アンテナ位置を位置検索クライアントのディスプレイに表示するように構成したことを特徴とするものである。【０００９】  また、本発明は現在エリア位置内で履歴の検出個数を遡って最も多いアンテナ位置を現在アンテナ位置と判断する際に、アンテナ位置が同数となった場合は、それを解消するための解消手段を持っていることを特徴とするものである。
また、設定間隔は変更可能であることを特徴とするものである。
また、履歴の検出個数は変更可能であることを特徴とするものである。【００１０】  本発明の特徴の１つ目は、対象物をエリア内で確実に検知するために、また検知できない死角が発生しないように各検知エリア内には隣り合う複数のアンテナが互いに干渉する位置に設置したことである。
しかしこのような配置では対象物のタグは複数のアンテナに検知されるケースがあり、アンテナ位置を１つに特定することが困難という問題点がある。
また、このようにアンテナを干渉するように配置したエリア内においても、仕掛品が金属の場合、タグと金属の位置関係によりスキャンしても読取れないという問題点がある。
本発明の２つ目の特徴はこれらの問題点を解決するためにエリア判定とアンテナ判定というソフト的な手段により解決したことである。【００１１】  本発明のエリア判定は、新しいエリアへの持込みの際に、確実に対象物のタグが読取られるような持込み方法、例えばエリアの入り口にある特定のアンテナの下を必ず通過させるような運用を採用することによってエリアの移動を確実に認識できるので、エリア判定として最新のエリアを現在のエリアとして判定するようにしている。
また、アンテナ判定はエリア判定が確実にできるようにした上で、アンテナ位置を判定するために確定したエリアの過去の読取り履歴を遡って確率的に数の多いアンテナを現在アンテナとして判定するようにしている。【００１２】  このようにすることによって、実際の対象物の位置は対象物位置管理システムの判定結果とズレる可能性はあるが、新しいエリアへの移動は確実に認識してエリア判定を行っているため、そのズレは同一エリア内でのズレでしかなく、その場合はズレがあったとしても、現場では干渉するアンテナの配置関係から隣接するアンテナ位置で、容易に対象物を見つけることができるので、十分に運用可能な対象物位置管理システムとなっている。
本発明では、設定間隔を変更できるようにしており、エリアへの持込みの際の移動速度とサーバの処理能力を考慮する必要があり、一般的には１秒から１０秒の範囲で調整するのがよい。
また、本発明では履歴の検出個数を変更できるようにしており、履歴の検出個数は生産現場の複数アンテナでの重複判定状態を観察し、何個遡れば確率的に判定可能かで調整するのが良い。
検出個数は一般的には１〜５個が採用される。
【発明の効果】
【００１３】  本発明では、位置タグのような余分なタグを必要とせず、また出力を変化できるような高度なアンテナも必要とせず、各検知エリア内に隣り合う複数のアンテナを互いに干渉する位置で配置するだけで良いため、安価で実現できる。
また、エリア判定手段とアンテナ判定手段により現在エリア位置と現在アンテナ位置を判定するため、アンテナの干渉により複数アンテナで同時に読取られ、アンテナ位置が確定できないケースやタグが静止状態にありスキャンにより読取れないケースが発生した場合であっても、過去の検知履歴により判定を行うため、アンテナの干渉やタグが静止状態にある場合にスキャンにより確実に読取れないことにより構築できないと判断されてきた位置管理システムを構築することが可能である。
このことにより、ＵＨＦ帯ＲＦＩＤの活用を促進することができる。
【発明を実施するための最良の形態】
【００１４】  以下、本発明の実施形態を図面を参照して詳しく説明する。なお、図面において実質的に同一の部分には同じ参照符号を付けてその説明は繰り返さない。【００１５】  本発明の実施形態による管理システムの全体構成を図１に示す。このシステムはＵＨＦ帯ＲＦＩＤを活用して対象物を管理するためのシステムであり、ここでは、工場の現場において対象物の位置を管理するためのシステムを想定している。
本システムは、サーバ１０、データベース２０、書き込みクライアント３０、読取り制御クライアント４０、位置検索クライアント５０、リーダライタ６０，８０，１００、アンテナ７０，９０（ＡＮＴ１，ＡＮＴ２，ＡＮＴ３，ＡＮＴ４），１１０（ＡＮＴ５，ＡＮＴ６，ＡＮＴ７，ＡＮＴ８）を備えている。これらはＬＡＮ等のネットワークにより接続されており、サーバ１０によりシステム全体の制御・管理が行われる。【００１６】  このシステムでは書き込みエリアと複数の検知エリアＡ〜ｎが設定されている。各エリアに対応してリーダライタ６０，８０，１００およびアンテナ７０，９０（ＡＮＴ１，ＡＮＴ２，ＡＮＴ３，ＡＮＴ４），１１０（ＡＮＴ５，ＡＮＴ６，ＡＮＴ７，ＡＮＴ８）が設けられている。本システムではＵＨＦ帯ＲＦＩＤの中距離到達特性を活かして各エリアの天井にアンテナ９０（ＡＮＴ１，ＡＮＴ２，ＡＮＴ３，ＡＮＴ４），１１０（ＡＮＴ５，ＡＮＴ６，ＡＮＴ７，ＡＮＴ８）を吊し、図１下図の鳥瞰イメージのように、複数のアンテナで立体的な検知エリアを構成することで位置情報の検知手段として活用している。また図２に記載されているように、確実にアンテナに対象物を検知させるため、同一エリア内に隣り合うアンテナを干渉する位置で配置している。図２のアンテナの検知領域３６０が干渉領域３７０を持つような位置に配置している。
このようにすることで工場内の対象物の移動に支障をきたさないようにでき、各検知エリアＡ〜ｎのタグ情報をリアルタイムに確実に監視できる。
また、図１では１台のリーダライタで１つのエリアを構成しているが、複数台のリーダライタにより、より広大なエリアを構成することもできる。【００１７】  次に、本システムによる処理の流れについて図３のフローチャートを参照しつつ説明する。【００１８】  まず、ＳＴ２１０について説明すると、図４に示されるように製造指示書３１０の発行と同じタイミングでＩＣタグインレット３２０へ識別データとして製造Ｎｏ．を書き込む。具体的には、発行された製造指示書３１０に記載されている製造Ｎｏ．のデータが書き込みクライアント３０から書き込みエリアのリーダライタ６０に送られ、リーダライタ６０によりＩＣタグインレット３２０のメモリに製造Ｎｏ．のデータが書き込まれる。これと並行してサーバ１０側では、図５に示すように、ＩＣタグインレット３２０のＩＤ（タグＩＤ）と書き込んだ製造Ｎｏ．とを対応づけてデータベース２０内のテーブル４００に記憶する。テーブル４００にはさらに図番等の属性情報がタグＩＤと対応づけて記憶される。
次に、ＳＴ２２０において、図４に示すようにＩＣタグインレット３２０と製造指示書３１０とをポリ袋３４０に入れ、これを対象物（仕掛品）とセットにしてパレット３５０に収納する。【００１９】  次にＳＴ２３０について説明すると、上記パレット３５０は作業工程に従って各エリア（図１の検知エリアＡ〜ｎ）に持ち込まれることで、仕掛品として位置管理がスタートする。
また、このとき各エリア内へ複数のパレット３５０を重ねたまま持ち込むと検知されないタグが発生するため、パレット平置き状態で各エリアに持ち込むことが望ましい。【００２０】  本システムでは、読取り制御クライアント４０からの制御により各検知エリアＡ〜ｎのリーダライタ８０，１００はアンテナ９０（ＡＮＴ１，ＡＮＴ２，ＡＮＴ３，ＡＮＴ４），１１０（ＡＮＴ５，ＡＮＴ６，ＡＮＴ７，ＡＮＴ８）を設定間隔（例えば５秒間隔）でＯＮにし、各アンテナの交信領域（各検知エリアＡ〜ｎ）内に存在するＩＣタグインレット３２０の情報（タグＩＤ）を読取る。各リーダライタ８０，１００により読取られた情報はサーバ１０に送られる。サーバ１０側では、図７に示すように、各リーダライタ８０，１００から送られてきた情報（タグＩＤ）とその情報の送信元のリーダライタに対応する検知エリアとアンテナを対応づけてデータベース２０内のテーブル５００に記憶する。サーバ１０は、各リーダライタ８０，１００から情報が送られてくるたびにこのテーブル５００を逐次更新するとともに一定期間の履歴をデータベース２０内に保存しておく。【００２１】  次にＳＴ２４０について説明すると、本システムでは、作業工程中の対象物（仕掛品）がどのエリアに存在するかを位置検索クライアント５０を利用して以下のように検索可能である。この検索機能は複数の位置検索クライアント５０からアクセス可能なようにＷｅｂアプリとしており、特別なセットアップ作業はしなくてよい（Ｗｅｂブラウザによる検索）。なお、図１では便宜上１つの位置検索クライアント５０のみを示している。【００２２】  まず、図６上段に示すように、位置検索クライアント５０から検索対象の製造Ｎｏ．が入力され、これがサーバ１０に送られる。サーバ側１０では、データベース２０内の最新のテーブル５００（図７）を参照して、この製造Ｎｏ．に対応するエリアとアンテナ位置（ここではエリアＡ、ＡＮＴ２とする）を抽出し、抽出したエリアＡ、ＡＮＴ２をたとえばマップ上に強調表示する等の手段により位置検索クライアント５０のディスプレイに表示する。なお、サーバ１０側でテーブル４００（図５）とテーブル５００（図７）とを参照するようにすれば、位置検索クライアント５０から入力される検索キーとして製造Ｎｏ．以外にも図番等の属性情報を利用することができる。【００２３】  本システムでは、確実にアンテナに対象物を検知させるため、複数のアンテナを干渉する位置で配置しているため、複数のアンテナで検知されてしまうケースがありえる。このためサーバ１０側では、位置検索クライアント５０から入力された検索キーに対応するアンテナが複数検出されたときは、テーブル５００（図７）の過去の履歴を参照し、その検索キーに対応するタグＩＤに対してデータ内で履歴の数を遡って、後述しているタグの位置を決定する方法により最も多いアンテナ位置を判定して位置検索クライアント５０のディスプレイに表示する。【００２４】  また、本システムでは、図６下段に示すように、指定したエリア、アンテナ位置内のタグ情報を検索することもできる。この場合、位置検索クライアント５０から検索対象の検知エリア、アンテナ（ここではエリアＡ、アンテナ２）が入��され、これがサーバ１０に送られる。サーバ側１０では、データベース２０内の最新のテーブル５００（図７）を参照して、エリアＡ、アンテナ２に対応するタグＩＤおよび製造Ｎｏ．を抽出し、さらにこのタグＩＤおよび製造Ｎｏ．に対応する属性情報をテーブル４００（図５）を参照して抽出し、これら抽出した情報すなわち指定されたエリアＡ、アンテナ２のタグ情報を位置検索クライアント５０のディスプレイに一覧表示する。【００２５】  次にＳＴ２５０について説明すると、すべての作業工程が終了すると、図８に示すように、各ポリ袋３４０から製造指示書３１０とＩＣタグインレット３２０が取り出される。【００２６】  次にＳＴ２６０について説明すると、書き込みクライアント３０からの制御により書き込みエリアのリーダライタ６０はアンテナ７０をＯＮにし、取り出されたＩＣタグインレット３２０の情報（タグＩＤ，製造Ｎｏ．）を読取ってサーバ１０へ送信する。この際、複数のＩＣタグインレット３２０の情報をまとめて一度に読取ることが可能である（ＲＦＩＤの利点）。サーバ１０側では、送られてきたタグＩＤ，製造Ｎｏ．に対する完了報告を行い、仕掛品から完了品にステータスを更新する。完了処理終了後のＩＣタグインレット３２０は再利用することが可能である。【００２７】  次に位置判定フロー図９を用いてタグの位置を決定する方法を説明する。
図９  例）ではタグＩＤ＝００００１，００００２，００００３，００００４の４つのタグに対する判定事例を示している。【００２８】  次にＳＴ２７０について説明すると、システムにおいて判定個数を設定する。
図９  例）では４個を設定している。
システムでは履歴テーブル５００（図７）に対して、判定のためにサンプリングするために遡る個数を設定できる。【００２９】  次にＳＴ２８０について説明すると、システムにおいて位置判定対象タグＩＤを設定する。
図９  例）ではタグＩＤ＝００００１，００００２，００００３，００００４の４つのタグを設定している。【００３０】  次にＳＴ２９０について説明すると、システムは対象タグＩＤで履歴テーブル５００（図７）を最新のデータから遡り、一致するタグＩＤの１番目の検索データから最新のエリアを判定する。
例ではタグ００００１：Ｂ、タグ００００２：Ｂ、タグ００００３：Ｂ、タグ００００４：Ｃ【００３１】  次にＳＴ３００について説明すると、システムはＳＴ２９０で判定最新エリア内で設定数分履歴を遡ってアンテナ位置を判定する。
具体的にはシステムでは履歴テーブル５００（図７）に対して、最新のエリアと一致するデータを遡って判定個数分のサンプリングを行い、サンプリング結果から最も多いアンテナ番号を現在のアンテナ位置と判定する。
※最新エリア内でサンプリングしている理由はエリアを移動した場合は、それ以前のエリアでは検索しないようにするため。（アンテナが干渉する場所は同一エリアとし、アンテナが干渉しない場所は別エリアとして運用するため。）
例ではタグ００００４は最新エリアＣ内でＣ−９のみがサンプリングされ、Ｃ−９を判定結果としている。
また、タグ００００３では最新エリアＢ内で３つのデータがサンプリングされ、Ｂ−７（２）＞Ｂ−６（１）でＢ−７を判定結果としている。
しかし、タグ００００１では最新エリアＢ内で４つのデータがサンプリングされ、Ｂ−６（２）＝Ｂ−５（２）で判定できない。
タグ００００２も同様、Ｂ−６（２）＝Ｂ−７（２）で判定できない。【００３２】  次にＳＴ３１０について説明すると、システムはＳＴ３００で判定に使用したサンプリング結果で同数となり、判定できない場合（タグ００００１、００００２の事例）の解消手段により判定を行う実施例として、同数となった該当データのタイムスタンプの新しいデータを採用している。
タグ００００２ではＢ−６（０９：５９’５５”）＞Ｂ−７（０９：５９’５０”）でＢ−６を判定結果としている。
しかし、タグ００００１ではＢ−６（１０：１０’００”）＝Ｂ−５（１０：１０’００”）で判定できない。【００３３】  次にＳＴ３２０について説明すると、システムはＳＴ３１０でタイムスタンプが同一で判定できない場合（タグ００００１の事例）は、システム毎に最終判定ルールを決めて１つのデータを採用する。
例えばアンテナ番号の大きいデータを採用する。
例のタグ００００１ではＢ−６＞Ｂ−５のため、Ｂ−６を判定結果としている。
尚、同数となった場合の解消手段としては、タイムスタンプの新しいデータを採用したり、アンテナ番号の大きいデータを採用する以外の手段を採用しても構わない。
【産業上の利用可能性】
【００３４】  本発明は、確実にアンテナに対象物を検知させるため、複数のアンテナを干渉する位置で配置した位置管理システムとして生産現場以外でも有用である。
【図面の簡単な説明】
【００３５】
【図１】本発明の実施形態による管理システムの全体構成
【図２】アンテナ間の配置検知範囲設置方法
【図３】図１に示した管理システムによる処理の流れを示すフローチャート
【図４】対象物（仕掛品）に製造指示書およびＩＣタグをセットするまでの流れを示す図
【図５】タグＩＤと製造Ｎｏ．の紐付けデータを示す図
【図６】対象物（仕掛品）の検索の流れを示す図
【図７】タグの位置情報履歴データの例を示す図
【図８】出荷〜完了処理の流れを示す図
【図９】エリアの特定とアンテナの判定ロジックを示す図
【符号の説明】
１０  サーバ
２０  データベース
３０  書き込みクライアント
４０  読取り制御クライアント
５０  位置検索クライアント
６０，８０，１００  リーダライタ
７０，９０，１１０（ＡＮＴ５，ＡＮＴ６，ＡＮＴ７，ＡＮＴ８）  アンテナ
３１０  製造指示書
３２０  タグインレット
３４０  タグインレットと製造指示書を収納するケース
３５０  パレット
３６０  アンテナの検知領域
３７０  検知領域が干渉している領域
【図１】
2010096734.tif 000003
【図２】
2010096734.tif 000004
【図３】
2010096734.tif 000005
【図４】
2010096734.tif 000006
【図５】
2010096734.tif 000007
【図６】
2010096734.tif 000008
【図７】
2010096734.tif 000009
【図８】
2010096734.tif 000010
【図９】
2010096734.tif 000011